(57)【要約】【目的】フレコンバックからの粉体の払い出しを円滑且つ確実に行う。【構成】フレコンバック１０に粉体払出接続治具１５を介して払出管４０を接続する。粉体払出接続治具１５を、外筒体２３とこの内部に配置される粉体誘導管２４とから構成する。粉体誘導管２４に粉体払出用エア吹き出し管２７を設ける。外筒体２３に粉体搬送用エア吹き出し管２８を設け、外筒体２３と粉体誘導管２４との間から、粉体払出方向へ向けてエアを吹き出す。払出管４０に粉体ポンプ４１を接続する。粉体ポンプ４１の吐出側に粉体搬送管４２を接続する。粉体搬送管４２に粉体吐出方向に向けて搬送用エア吹き出し管４３を設ける。粉体払出用エア吹き出し管２７からエアを吹き出してフレコンバック１０を膨らました後に、各管２８，４３から搬送用エアを吹き出す。次に粉体ポンプ４１を作動させる。フレコンバック下部における粉体のブリッジが無くなる。【選択図】　　　　図４
2004131274.tif 000002
【特許請求の範囲】
【請求項１】
フレコンバックへ接続治具を介して払出管を接続し前記フレコンバック内の粉体を払い出す方法において、
前記接続治具または払出管に、粉体払出方向へ向けて吹き出す搬送用ガス吹き出し口と、フレコンバック内部へ向けて吹き出す払出用ガス吹き出し口とを設けて、前記各ガス吹き出し口からガスを吹き出して粉体を払い出すことを特徴とするフレコンバックの粉体払出方法。
【請求項２】
前記払出用ガス吹き出し口からガスを吹き出して前記フレコンバックを膨らました後に、前記搬送用ガス吹き出し口からガスを吹き出すことを特徴とする請求項１記載のフレコンバックの粉体払出方法。
【請求項３】
フレコンバックへ接続治具を介して払出管を接続し、この払出管に接続した粉体ポンプにより前記フレコンバック内の粉体を払い出す方法において、
前記接続治具または払出管内に向けてガスを吹き出すガス吹き出し口を前記接続治具または払出管に設けるとともに、粉体ポンプの粉体搬送方向下流側の粉体搬送管に、粉体搬送方向へ向けて搬送用ガスを吹き出すガス吹き出し口を設け、前記各ガス吹き出し口からガスを吹き出して粉体を払い出すことを特徴とするフレコンバックの粉体払出方法。
【請求項４】
前記接続治具または払出管内に前記フレコンバック内の下部に配置される粉体誘導管を設け、この粉体誘導管内部へ払出用ガスを導入するとともに、粉体誘導管と接続治具内壁との空間へ粉体搬送用ガスを導入し、粉体誘導管の粉体払出方向側から前記粉体搬送用ガスを吹き出すことを特徴とする請求項２記載のフレコンバックの粉体払出方法。
【請求項５】
フレコンバックへ接続治具を介して払出管を接続し前記フレコンバック内の粉体を払い出す粉体払出装置において、
前記接続治具または払出管に設けられ、粉体払出方向へ向けて搬送用ガスを吹き出す搬送用ガス吹き出し口と、
前記接続治具または払出管に設けられ、前記フレコンバック内部へ向けて払出用ガスを吹き出す払出用ガス吹き出し口とを備えることを特徴とするフレコンバックの粉体払出装置。
【請求項６】
前記接続治具または払出管は、前記フレコンバック内の下部に配置される粉体誘導管を備えることを特徴とする請求項５記載のフレコンバックの粉体払出装置。
【請求項７】
前記払出管に粉体ポンプを接続し、この粉体ポンプの粉体搬送方向下流側の粉体搬送管に、粉体搬送方向へ向けて搬送用ガスを吹き出すガス吹き出し口を備えることを特徴とする請求項５または６記載のフレコンバックの粉体払出装置。
【請求項８】
フレコンバック内の粉体を払出管に払いだすフレコンバックの粉体払出治具において、
前記粉体払出方向へ向けて吹き出す搬送用ガス吹き出し口と、フレコンバック内部へ向けて吹き出す払出用ガス吹き出し口とを備えたことを特徴とするフレコンバックの粉体払出治具。
【請求項９】
前記フレコンバックへ装着したときに、フレコンバック内の下部に配置される粉体誘導管を備えることを特徴とする請求項８記載のフレコンバックの粉体払出治具。
【発明の詳細な説明】
【０００１】
【産業上の利用分野】
本発明はフレコンバック（フレキシブルコンテナバック）に収納されている粉体を払いだすフレコンバックの粉体払出方法、装置及び粉体払出治具に関するものである。
【０００２】
【従来の技術】
【特許文献１】
特開平８−３１３３２９号公報（第２頁）
【０００３】
粉体の輸送手段として、布、ゴムなどの材料で形成されたフレコンバックが広く利用されている。このフレコンバックは比較的安価に製造することができる他に、付帯設備が簡単なものでよく、使用後の保管や帰り荷の際には、折り畳んだ状態で扱えるため、保管スペースや帰り荷の輸送コストも小さくすることができる（例えば、特許文献１参照）。フレコンバックから粉体を払いだす際には、特許文献１に記載のように専用の計量払出装置を用いる他に、フレコンバックの排出口に払出接続治具を介して払出管を接続して簡易に払いだすことも行われている。払出管には粉体搬送用ポンプが接続されており、このポンプの吸引により粉体がフレコンバックから払いだされる。このとき、払出接続治具へエアを投入し、エアによって払出管へ粉体を送り出すことが行われている。
【０００４】
【発明が解決しようとする課題】
しかしながら、払出接続治具へエアを投入する場合には、粉体搬送用ポンプの吸引量よりも搬送エア量が多いとエアばかりが送られてしまい、粉体の払出速度が遅くなってしまう。逆に搬送エアの量が少ないとフレコンバック下部が絞り込まれてしまい連続的な粉体の払い出しができなくなってしまう。このように、搬送用エアの微妙な調整が必要であり、安定した粉体の払い出しが困難であった。
また、粉体がフレコンバック内の下部でブリッジを形成してしまうこともあり、この場合にも円滑な払い出しが不可能になる。
【０００５】
本発明は上記課題を解決するためのものであり、フレコンバックからの粉体の払い出し時に、フレコンバック下部内での粉体のブリッジの形成や、フレコンバック下部の絞り込みによる粉体払出口の閉塞を防止して、粉体を大流量で安定して払い出すことができるようにしたフレコンバックの粉体払出方法、装置及び粉体払出治具を提供することを目的とする。
【０００６】
【課題を解決するための手段】
上記目的を達成するために、請求項１に記載の発明では、フレコンバックへ接続治具を介して払出管を接続し前記フレコンバック内の粉体を払い出す方法において、前記接続治具または払出管に、粉体払出方向へ向けて吹き出す搬送用ガス吹き出し口と、フレコンバック内部へ向けて吹き出す払出用ガス吹き出し口とを設けて、前記各ガス吹き出し口からガスを吹き出して粉体を払い出すことを特徴とする。なお、前記払出用ガス吹き出し口からガスを吹き出して前記フレコンバックを膨らました後に、前記搬送用ガス吹き出し口からガスを吹き出すことが好ましい。
【０００７】
なお、接続治具に搬送用ガス吹き出し口と払出用ガス吹き出し口とを設けているが、この他に、請求項３に記載の発明のように、単に接続治具または払出管に横方向からガスを導入して行う粉体払出方法に対して、粉体ポンプの粉体搬送方向下流側の粉体搬送管に、粉体搬送方向へ向けて搬送用ガスを吹き出すガス吹き出し口を設けてもよく、この場合にも、粉体の搬送量を増大させることができる。また、接続治具または払出管内に粉体誘導管を設けて、粉体誘導管内部へ払出用ガスを導入するとともに、粉体誘導管と接続治具内壁との空間へ粉体搬送用ガスを導入し、粉体誘導管の粉体払出方向側から粉体搬送用ガスを吹き出してもよく、この場合にも、粉体の搬送量を増大させることができる。なお、これらの場合には、粉体がフレコンバックの下部でブリッジを形成しやすいため、ブリッジの発生が少ない性状の粉体の払い出しに効果がある。
【０００８】
また、請求項５に記載の発明では、フレコンバックへ接続治具を介して払出管を接続し前記フレコンバック内の粉体を払い出す粉体払出装置において、前記接続治具または払出管に設けられ、粉体払出方向へ向けて搬送用ガスを吹き出す搬送用ガス吹き出し口と、前記接続治具または払出管に設けられ、前記フレコンバック内部へ向けて払出用ガスを吹き出す払出用ガス吹き出し口とを備えている。
なお、前記接続治具または払出管は、前記フレコンバック内の下部に配置される粉体誘導管を備えることが好ましい。また、前記払出管に粉体ポンプを接続し、この粉体ポンプの粉体搬送方向下流側の粉体搬送管に、粉体搬送方向へ向けて搬送用ガスを吹き出すガス吹き出し口を備えることが好ましい。
【０００９】
また、請求項８に記載の発明では、前記フレコンバック内の粉体を払出管に払いだすフレコンバックの粉体払出治具において、前記粉体払出方向へ向けて吹き出す搬送用ガス吹き出し口と、フレコンバック内部へ向けて吹き出す払出用ガス吹き出し口とを備えることを特徴する。なお、前記フレコンバックへ装着したときに、フレコンバック内の下部に配置される粉体誘導管を備えることが好ましい。
【００１０】
【発明の実施の形態】
図１は、フレコンバックの粉体払出装置の全体構成を示す概略図である。フレコンバック１０は吊りバンド１１に掛けられて、ウインチ１２などのフック１３により吊り下げ配置される。なお、吊りバンド１１でフレコンバック１０を吊り下げる場合に、図示は省略したが十字形ハンガーを用いることが好ましく、この場合には十字形ハンガーのそれぞれの先端のフックに、吊りバンド１１を個別に掛けることにより、フレコンバック１０の自重でフレコンバックが絞られて粉体が締まることがなくなり、粉体が出にくくなることが防止される。また、ハンガーは十字形に限られず、フレコンバック１０が絞られることがないように吊るすことができるものであればよく、その形状や支持点数は適宜変更してよい。
【００１１】
フレコンバック１０の下部は、円錐形状に絞られて形成されており、これの下部に排出口１０ａが設けられている。この排出口１０ａには、本発明の粉体払出接続治具１５がカップリング１６を介して取り付けられている。フレコンバック１０には例えばシリカ粉体が収納されている。
【００１２】
図２及び図３に示すように、カップリング１６は、フレコンバック１０の排出口１０ａに取り付けられる雄型カップリング部材１７と、これを保持する雌型カップリング部材１８とから構成されている。雌型カップリング部材１８には粉体払出接続治具１５が固着されている。また、雌型カップリング部材１８には、締結レバー２１が取り付けられており、これを操作することで、両カップリング部材１７，１８を締結（実線表示）または締結解除（二点鎖線表示）することができる。
【００１３】
図３に示すように、粉体払出接続治具１５は、レデューサからなる外筒体２３と、パイプからなる内筒体としての粉体誘導管２４と、粉体誘導管２４を外筒体２３に固定するメクラ板２５及びソケット２６と、粉体払出用エア吹き出し管２７と、粉体搬送用エア吹き出し管２８とから構成されている。
【００１４】
粉体払出用エア吹き出し管２７はＬ字形に形成されており、ノズル部２７ａとエルボ部２７ｂと連通部２７ｃとから構成されている。ノズル部２７ａは取付板２９を介して粉体誘導管２４に固定されている。連通部２７ｃは、粉体誘導管２４と外筒体２３とを貫通し、外部に連結口２７ｄが突出している。
【００１５】
粉体搬送用エア吹き出し管２８は、外筒体２３を貫通するように取り付けられており、粉体搬送用エアを外筒体２３内に送り込む。これら各吹き出し管２７，２８にはバルブ３０，３１及びワンタッチカップリング３２，３３を介してエア供給ホース３４，３５が接続されている。
【００１６】
図４に示すように、外筒体２３の下部接続口２３ａには払出管４０が接続されており、この払出管４０を介して粉体ポンプ４１の供給口４１ａに接続されている。粉体ポンプ４１は、エア駆動式ダイアフラムポンプが用いられるが、粉体をエアで搬送するタイプであればよく、他の粉体ポンプを用いてもよい。
【００１７】
粉体ポンプ４１の粉体吐出口４１ｂには粉体搬送管４２が接続されており、この粉体搬送管４２により、粉体が例えば液中添加槽５０（図１参照）に送られる。粉体搬送管４２の粉体吐出口４１ｂ近くには搬送用エア吹き出し管４３が粉体搬送方向に向けてエアを吹き出すように配置されている。この搬送用エア吹き出し管４３にはバルブ４４、ワンタッチカップリング４５及びエアホース４６を介してエアー供給源４７が供給される。エア供給源４７には図示しない圧力調節弁が設けられており、各吹き出し管２７，２８，４３へのエア供給圧力が調節される。
【００１８】
図１に示すように、液中添加槽５０は、槽本体５１と攪拌器５２とから構成されており、予めイオン交換水５３とカチオン性樹脂（ジアリルアンモニウム塩誘導体ポリマー）とが入れられている。攪拌器５２は攪拌羽根５２ａとこれを回転するモータ５２ｂとから構成されている。槽本体５１の内部周面に邪魔板５４が槽本体５１の円周方向で４個配置されており、粉体とイオン交換水５３とカチオン性樹脂とが効率よく攪拌される。なお、邪魔板５４の形状や配置個数などは適宜変更してよい。
【００１９】
液中添加槽５０には粉体搬送管４２の先端４２ａが液中に没するように配置されている。これにより、粉体が舞い上がることなくイオン交換水５３に添加される。この粉体搬送管４２のうち、少なくとも液中添加槽５０内に位置する部分の内壁面はテフロン（登録商標）コーティングされている。また、粉体搬送用エアが粉体ポンプ４１の出口側から供給されているので、粉体搬送管４２の先端付近で、吸湿してペースト状となった粉体が付着することが防止され、粉体詰まりなどの発生がなくなる。
【００２０】
液中添加槽５０でシリカ粉体やカチオン性樹脂が分散または混合されたイオン交換水は、図示しない排出口及びバルブを介して微分散工程へ送られる。微分散後にバインダー、硬膜剤、塗布助剤などとブレンドし、塗布液を作製する。この塗布液をウェブに塗布し、製品としてのインクジェット記録紙が製造される。
【００２１】
次に、本実施形態の作用を説明する。図１に示すように、フレコンバック１０をウインチ１２により吊り下げて、カップリング１６を介して、粉体払出接続治具１５をフレコンバック１０に取り付ける。粉体払い出しでは、図４に示すように、まず粉体払出用エア吹き出し管２７からエアが吹き出され、フレコンバック１０を膨らませる。次に、粉体搬送用エア吹き出し管２８からエアを吹き出した後に、粉体ポンプ４１を運転し、粉体搬送を実施する。
【００２２】
このように、フレコンバック１０内へ払出用エアを専用の吹き出し管２７を用いて導入することにより、フレコンバック１０内の下部における粉体のブリッジ形成が抑制される。また、フレコンバックの下部が絞り込まれることがなくなるため、粉体払出口の閉塞がなくなり、粉体を円滑に払いだすことができる。しかも、粉体誘導管２４を備えるため、フレコンバック下部の絞り込みが確実になくなり、粉体排出口付近における閉塞の防止が図られる。また、粉体ポンプ４１の下流側に搬送用エアを導入することにより、接続治具１５から投入するエア量を減らすことができ、粉体払出流量を多くすることができる。
【００２３】
なお、フレコンバック１０内へ向けての粉体払出用エア吹き出し管２７からの払出エアー吹き出し量は１〜１０Ｎｍ３　／ｈ、払出管４０へ向けての粉体搬送用エア吹き出し管２８の搬送エアのエア吹き出し量は０〜１０Ｎｍ３　／ｈ、粉体ポンプ４１以降の粉体搬送管４２へ向けての搬送用エア吹き出し管４３からの搬送エアのエア吹き出し量は０〜１０Ｎｍ３　／ｈが好ましく、用いる粉体ポンプの能力に合わせて適宜設定する。より好ましくは、粉体ポンプとして（株）タクミナ製の粉体ポンプＰＤ５０（最大移送量（　かさ密度０．１ｋｇ／Ｌ基準）：５００ｋｇ／ｈ、配管径吸込口Ｒ２ｉｎ、吐出口Ｒ２ｉｎ）　を用いた場合には、粉体払出用エア吹き出し管２７のフレコンバック内へ向けての払出エアー吹き出し量は１〜３Ｎｍ３　／ｈ、粉体搬送用エア吹き出し管２８の払出管４０へ向けての搬送エアのエア吹き出し量は０〜３Ｎｍ３　／ｈ、搬送用エア吹き出し管４３の粉体搬送管４２へ向けての搬送エアのエア吹き出し量は９〜１０Ｎｍ３　／ｈである。また、エアを用いて粉体を搬送しているが、これは他の例えば窒素ガス，不活性ガスなどを用いてもよい。
【００２４】
上記実施形態では、粉体誘導管２４を備えているが、フレコンバック１０の下部排出口１６ａに取り付けられるカップリング１６がバルブ付きの場合や、粉体誘導管を備えている場合には、粉体誘導管を省略して粉体払出用エア吹き出し管２７と粉体搬送用エア吹き出し管２８とを設けただけのものであってもよい。
【００２５】
また、上記実施形態では、払出管４０に接続治具１５を固定したが、これはフレコンバック１０やフレコンバック１０のカップリングに固定してもよい。さらには、フレコンバック１０のカップリングや払出管４０に、粉体誘導管２４やエア吹き出し管２７，２８を一体的に設けてもよい。
【００２６】
次に、本発明の実施例について説明するが、本発明は以下に示す実施例のみに限定されるものではない。また、特に断らない限り、実施例中の「部」及び「％」はそれぞれ質量部、質量％を示す。
【００２７】
［実施例１］
図１に示すように、ＢＥＴ法による比表面積３００ｍ２　／ｇの気相法シリカ粉体（ＱＳ−３０（株）トクヤマ製）が５０ｋｇ入ったフレコンバック１０から、シリカ粉体を払い出し、予めジアリルアンモニウム塩誘導体ポリマーが入れられたイオン交換水５３に液中添加する工程において、図２、図３に示すような接続治具１５を用いて、まずフレコンバック１０の内部へエアを導入してフレコンバック１０を膨らました後に、搬送エアを接続治具１５とポンプ下流側の粉体搬送管４２に導入し、次に粉体ポンプ４１を運転して粉体搬送を実施した。粉体搬送中もフレコンバック１０内へのエア吹き出しは続行した。フレコンバック１０内へ向けての払出エアー吹き出し量は３Ｎｍ３　／ｈであり、払出管４０へ向けての搬送エアのエア吹き出し量は０〜３Ｎｍ３　／ｈであり、ポンプ後の搬送管４２へ向けての搬送エアのエア吹き出し量は１０Ｎｍ３　／ｈであった。この請求項１に記載の方法により、連続的に６．０ｋｇ／ｍｉｎでの粉体搬送が行えた。また、タンクへの液中添加配管は、流速が２．０ｍ／ｓ以上となる配管径（３２Ａ，４０Ａ）にした。
【００２８】
［比較例（従来例）］
図５（Ａ）に示すように、粉体搬送方向に直交する方向から搬送用エアを導入する従来の粉体払出接続治具６０を用いて、粉体ポンプ４１により、フレコンバック１０内の粉体を液中添加槽５０に搬送した。粉体払出接続治具６０及び粉体搬送管６１のみ従来のものを用いた以外は、フレコンバック１０、粉体ポンプ４１、液中添加槽５０などは実施例１と同じものを使用した。この比較例では、接続治具６０の粉体搬送用エア吹き出し管６０ａから横向きにエアを吹き込み、エアの一部がフレコンバック１０内に行くように、粉体ポンプ４１による吸引よりも少し多めのエアを投入している。この比較例では、シリカ搬送量は約１．０ｋｇ／ｍｉｎであった。比較例では、接続治具６０へのエア供給量を増やすとエアばかりが流れることになり、粉体の搬送が遅くなり結果として粉体搬送量が少なくなっている。また、フレコンバック下部で粉体がブリッジを形成し、落ちて来なくなる不都合が見られた。また、粉体ポンプ４１の吸引によってフレコンバック１０の最下部が絞られて流路が狭くなり、粉体の輸送が遅くなり、同様に粉体搬送量が少なくなった。また、フレコンバック１０の交換時に、粉体搬送管６１の先端の液中添加配管が詰まってしまう不都合も発生した。
【００２９】
［実施例２］
図５（Ｂ）に示すように、上記比較例に対して粉体ポンプ４１の粉体吐出側の粉体搬送管６１に対して、粉体搬送用エア吹き出し口４３を、粉体搬送方向に向けてエアが吹き出すように配置し、この粉体搬送用エア吹き出し口４３から１０Ｎｍ３　／ｈのエアを吹き出した。このエア吹き出し口４３は実施例１のものと同様であり、同一符号が付してある。この請求項３に対応する実施例２では接続治具６０から投入する搬送用エアの供給量を減らすことができ、エアだけが送られる現象が少なくなり、粉体搬送量が比較例の約１．０ｋｇ／ｍｉｎに対して、２．９ｋｇ／ｍｉｎとなって、粉体搬送量を増やすことができた。また、フレコンバック１０の交換時であっても、搬送エアが流出することにより、液中添加配管における粉体の詰まり発生が抑制された。しかし、フレコンバック１０内にエアがうまく導入されないため、フレコンバック１０の下部で粉体がブリッジとなって落ちづらくなる傾向が見られた。また、粉体ポンプ４１の吸引によって、フレコンバック１０の最下部が絞られた状態となって流路が狭くなり、粉体搬送量が実施例１のものに比べて低下した。
【００３０】
［実施例３］
図５（Ｃ）に示すように、粉体払出用エア吹き出し管６５を粉体誘導管６６の内側までとし、粉体払出用エアを接続治具６７に対して横向きに供給した以外は、実施例１と同じにした。この請求項４に対応する実施例３では、粉体搬送量は３．２ｋｇ／ｍｉｎであり、実施例２よりも粉体搬送量が増加した。これは、粉体誘導管６６を備えるため、粉体ポンプ４１による吸引に起因するフレコンバック１０の最下部の絞り込みが防止され、その分だけ粉体搬送量が増加したものと見られる。しかし、実施例１に比べて、フレコンバック１０内に払出エアが充分に入らないために、フレコンバック下部で粉体がブリッジを形成しやすくなり、この分だけ粉体搬送量が低下した。
【００３１】
【発明の効果】
本発明によれば、接続治具に、粉体払出方向へ向けて吹き出す搬送用ガス吹き出し口と、フレコンバック内部へ向けて吹き出す払出用ガス吹き出し口とを設けて、この接続治具の前記各ガス吹き出し口からガスを吹き出して粉体を払い出すようにしたから、フレコンバック下部に粉体のブリッジが形成されることがなくなり、粉体を安定して払いだすことができる。特に、払出用ガス吹き出し口からガスを吹き出してフレコンバックを膨らました後に、搬送用ガス吹き出し口からガスを吹き出すことにより、フレコンバック下部における粉体のブリッジの発生が抑えられる他に、粉体の払い出しを円滑に行うことができる。
【００３２】
また、粉体ポンプの粉体搬送方向下流側の粉体搬送管に、粉体搬送方向へ向けて搬送用ガスを吹き出すガス吹き出し口を設け、これら各ガス吹き出し口からガスを吹き出して粉体を払い出すことにより、接続治具からの粉体搬送用エアの吹き出し量を減らすことができ、ガスばかりが送られしまうことがなくなり、粉体搬送量を確実に増やすことができる。
【００３３】
また、粉体払出治具内に粉体誘導管を備えることにより、粉体ポンプの吸引によってもフレコンバック下部が絞り込まれることがなくなり、流路が狭くなることがなく、粉体搬送量が低下することがなくなる。また、粉体誘導管の内部と外部とに別々にガスを導入して、前記外部に導入したガスを粉体払出方向に噴出させることにより、粉体を効率よく払いだすことができる。特に、フレコンバック内部へ向けて吹き出す払出用ガス吹き出し口を設けることにより、フレコンバックの下部における粉体のブリッジ形成がなくなり、粉体搬送量を飛躍的に増大させることができる。
【図面の簡単な説明】
【図１】本発明のフレコンバックの粉体払出装置の全体を示す概略図である。
【図２】フレコンバックの粉体払出接続治具を示す正面図である。
【図３】粉体払出接続治具を示す縦断面図である。
【図４】粉体排出接続治具とポンプとを示す概略の断面図である。
【図５】比較例を（Ａ）とし、他の実施例２，３を（Ｂ），（Ｃ）として、これらを比較して示す概略図である。
【符号の説明】
１０　フレコンバック
１５　粉体払出接続治具
１６　カップリング
２３　外筒体
２４　粉体誘導管
２７　粉体払出用エア吹き出し管
２８　粉体搬送用エア吹き出し管
４０　払出管
４１　粉体ポンプ
４２　粉体搬送管
４３　搬送用エア吹き出し管
５０　液中添加槽
５１　槽本体
５２　攪拌器
５３　イオン交換水
【図１】
2004131274.tif 000003
【図２】
2004131274.tif 000004
【図３】
2004131274.tif 000005
【図４】
2004131274.tif 000006
【図５】
2004131274.tif 000007